(57)【要約】【課題】幼児用手摺り棒を壁を傷つけずにしっかりと取り付けることができる構造の幼児用手摺り棒の取付け構造及びブラケットを提供する。【解決手段】壁面３にブラケット２で取り付けられた大人用手摺り棒１の下方に備えられる幼児用手摺り棒７の取付け構造であって、幼児用手摺り棒７を取り付ける幼児用ブラケット８が備えられ、幼児用ブラケット８が、大人用手摺り棒１を取り付けているブラケット２の首部６に対する着脱可能な抱持型取付け部１０を備えている。【選択図】      図１
2005282318.tif 000002
【特許請求の範囲】
【請求項１】
壁面にブラケットで取り付けられた大人用手摺り棒の下方に備えられる幼児用手摺り棒の取付け構造であって、
幼児用手摺り棒を取り付ける幼児用ブラケットが備えられ、
幼児用ブラケットが、大人用手摺り棒を取り付けているブラケットの首部に対する着脱可能な抱持型取付け部を備えていることを特徴とする幼児用手摺り棒の取付け構造。
【請求項２】
壁面にブラケットで取り付けられた大人用手摺り棒の下方に備えられる幼児用手摺り棒の取付け構造であって、
幼児用手摺り棒を取り付ける幼児用ブラケットが備えられ、
該幼児用ブラケットと、大人用手摺り棒を取り付けている大人用ブラケットとが、組になって着脱可能な取付け関係を形成するようになされていることを特徴とする幼児用手摺り棒の取付け構造。
【請求項３】
幼児用ブラケットの前記取付け部よりも下方の部分が、大人用ブラケットを取り付けている壁面に当接して支えられるようになっている請求項１又は２に記載の幼児用手摺り棒の取付け構造。
【請求項４】
前記幼児用ブラケットが逆Ｖ字形の脚部を備え、頂部に前記取付け部が備えられると共に、各脚部の先端側に幼児用手摺り棒付け部が備えられている請求項１乃至３のいずれか一に記載の幼児用手摺り棒の取付け構造。
【請求項５】
前記幼児用ブラケットが上下方向に伸縮可能で、伸縮させることにより幼児用手摺り棒の取付け高さ位置を高低調節できるようになされている請求項１乃至４のいずれか一に記載の幼児用手摺り棒の取付け構造。
【請求項６】
壁面にブラケットで取り付けられた大人用手摺り棒の下方に、幼児用手摺り棒を取り付けるブラケットであって、
大人用手摺り棒を取り付けているブラケットの首部に対する着脱可能な抱持型取付け部を備えていることを特徴とする幼児用手摺り棒取付け用ブラケット。
【発明の詳細な説明】
【技術分野】
【０００１】
本発明は、幼児用手摺り棒の取付け構造及びブラケットに関する。
【背景技術】
【０００２】
図４（イ）（ロ）に示すように、住宅等の建物の廊下５１や階段５２等において、立ち姿勢での通行の安全とからだへの負担を小さく目的で、手摺り棒５３を取り付ける場合があるが、その取付け高さ位置は、大人５４に都合のよい高さ位置であった。
【発明の開示】
【発明が解決しようとする課題】
【０００３】
しかしながら、その取付け高さ位置は、幼児５５には高過ぎて届かないことが多い。特に、図４（イ）に示すように、階段５２を降りるときには、幼児５５は手摺り棒５３に最も届きにくい状況になってしまい、非常に危険である。
【０００４】
そこで、幼児５５用にもう一本、低い位置に手摺り棒を取り付けるようにすることも考えられるが、それが広くなされないのは、幼児５５はすぐに成長してしまうため、その手摺り棒が数年で不要なものになってしまい、幼児成長後のその手摺り棒の取扱いに困る、即ち、取り付けたままにしておくと邪魔であるし、取り外すと壁に残った傷の修復をしなければならないというのが、大きな原因となっている。
【０００５】
本発明は、上記のような問題点に鑑み、幼児用手摺り棒を壁を傷つけずにしっかりと取り付けることができる構造の幼児用手摺り棒の取付け構造及びブラケットを提供することを課題とする。
【課題を解決するための手段】
【０００６】
上記の課題は、壁面にブラケットで取り付けられた大人用手摺り棒の下方に備えられる幼児用手摺り棒の取付け構造であって、
幼児用手摺り棒を取り付ける幼児用ブラケットが備えられ、
幼児用ブラケットが、大人用手摺り棒を取り付けているブラケットの首部に対する着脱可能な抱持型取付け部を備えていることを特徴とする幼児用手摺り棒の取付け構造によって解決される（第１発明）。
【０００７】
この構造では、幼児用手摺り棒を壁面に取り付けるのではなく、大人用手摺り棒を壁面に取り付ける大人用ブラケットに対し、幼児用ブラケットを用いて取り付ける構造であるので、壁を傷つけずにしっかりと取り付けることができると共に、大人用手摺り棒そのものに取り付けるものでもないので、大人用手摺り棒の使い具合を悪くすることもない。しかも、幼児用ブラケットの取付け部は、大人用ブラケットに対して着脱可能であるので、不要になったら取り外すことができ、取り外しても壁面に傷が残ることもなく、壁の修復も不要である。特に、幼児用ブラケットの取付け部は、大人用ブラケットの首部に対する着脱可能な抱持型のものからなっているので、大人用ブラケットを傷つけることもないと共に、各種の大人用ブラケットに対して取り付けることができ、汎用性にも優れる。
【０００８】
また、上記の課題は、壁面にブラケットで取り付けられた大人用手摺り棒の下方に、幼児用手摺り棒を取り付けるブラケットであって、
大人用手摺り棒を取り付けているブラケットの首部に対する着脱可能な抱持型取付け部を備えていることを特徴とする幼児用手摺り棒取付け用ブラケット（第２発明）によって同様に解決される。
【０００９】
また、上記の課題は、壁面にブラケットで取り付けられた大人用手摺り棒の下方に備えられる幼児用手摺り棒の取付け構造であって、
幼児用手摺り棒を取り付ける幼児用ブラケットが備えられ、
該幼児用ブラケットと、大人用手摺り棒を取り付けている大人用ブラケットとが、組になって着脱可能な取付け関係を形成するようになされていることを特徴とする幼児用手摺り棒の取付け構造によっても解決される（第３発明）。
【００１０】
この取付け構造では、大人用ブラケットが予め幼児用ブラケットの取付けを前提に設計されているので、幼児手摺り棒取外し後の大人用ブラケットの外観を体裁良いものにすることができる。
【００１１】
上記の第１〜第３発明において、幼児用ブラケットの前記取付け部よりも下方の部分が、大人用ブラケットを取り付けている壁面に当接して支えられるようになっているとよい（第４発明）。
【００１２】
この場合は、幼児用手摺り棒を壁側に押す力がかかったときに、それを背後の壁が支えて幼児用手摺り棒はびくともせず、しっかりとした取付け状態を形成することができる。のみならず、大人用ブラケットへの取付け部にその力を負担させずにすみ、大人用ブラケットへの取付け部の力学的負担を軽くすることができる。
【００１３】
また、上記の第１〜第４発明において、幼児用ブラケットが逆Ｖ字形の脚部を備え、頂部に前記取付け部が備えられると共に、各脚部の先端側に幼児用手摺り棒付け部が備えられているとよい（第５発明）。
【００１４】
この場合は、幼児用手摺り棒をその長手方向に押し引きする力がかかったときに、それを両脚部が軸力で受けて耐えるので、幼児用手摺り棒はびくともせず、しっかりとした取付け状態を形成することができる。のみならず、大人用ブラケットへの取付け部に曲げがかかるのが防がれ、大人用ブラケットへの取付け部の力学的負担を軽くすることができる。
【００１５】
また、上記の第１〜第５発明において、幼児用ブラケットが上下方向に伸縮可能で、伸縮させることにより幼児用手摺り棒の取付け高さ位置を高低調節できるようになされているとよい（第６発明）。この場合は、幼児用手摺り棒を幼児の体格に合わせて最も使いやすい高さ位置に設定することができる。
【発明の効果】
【００１６】
本発明は、以上のとおりのものであるから、幼児用手摺り棒を壁を傷つけずに取り付けることができ、不要になったら気軽に取り外すことが可能である。
【発明を実施するための最良の形態】
【００１７】
次に、本発明の実施最良形態を図面に基づいて説明する。
【００１８】
図１及び図２に示す第１実施形態の幼児用手摺り棒取付け構造において、１は大人用手摺り棒であり、大人用手摺り棒１は、複数の大人用ブラケット２…で壁面３に取り付けられている。各大人用ブラケット２は、図１（ロ）に示すように、壁面３に沿うベース部４、大人用手摺り棒１を保持する手摺り棒付け部５、及び、該ベース部４と手摺り棒付け部５とを連絡するＬ状の首部６を備えた一般的なものからなっている。
【００１９】
そして、大人用手摺り棒１の下方に幼児用手摺り棒７が平行に備えられており、該幼児用手摺り棒７は、同じく複数の幼児用ブラケット８…で取り付けられている。
【００２０】
各幼児用ブラケット８は、逆Ｖ字形の一体成形などの脚部９，９を備え、頂部に大人用ブラケット２への取付け部１０を備えると共に、各脚部９，９の先端側に幼児用手摺り棒付け部１１が備えられたものからなっていて、取付け部１０は、対の抱持片部１０ａ，１０ａを備え、該抱持片部１０ａ，１０ａで大人用ブラケット２のＬ状首部６の水平部６ａの外周を包囲するようにし、抱持片部１０ａ，１０ａの先端側をボルト１２とナット１３で着脱可能に締め付けることにより、幼児用ブラケット８は大人用ブラケット２に固着状態に取り付けられている。なお、幼児用手摺り棒７は、付け部１１にビス止めされることなどによって幼児用ブラケット８に付けられている。
【００２１】
そして、幼児用ブラケット８の両脚部９，９は、中間部においてＺ状に屈折していて、幼児用ブラケット８を大人用ブラケット２に適正姿勢に取り付けた状態で、両脚部９，９の先端側部分が壁面３に当接するようになされている。
【００２２】
上記の取付け構造では、幼児用手摺り棒７を壁面３に取り付けるのではなく、大人用手摺り棒１を壁面３に取り付ける大人用ブラケット２に対し、幼児用ブラケット８を用いて取り付ける構造であるので、幼児用手摺り棒７を壁面３に傷をつけずにしっかりと取り付けることができ、また、大人用手摺り棒１そのものに取り付けるものでもないので、大人用手摺り棒１の使い具合を悪くすることもない。しかも、幼児が大きくなって幼児用手摺り棒７が不要になったら、ボルト１２とナット１３を緩めて幼児用手摺り棒７を取り外すことができ、取り外しても壁３に傷が残ることはなく、また、大人用ブラケット２に傷を残すこともない。
【００２３】
また、図２（イ）（ロ）に示すように、幼児用手摺り棒７を階段１５や廊下１４の脇の壁面３に取り付けて幼児１６が幼児用手摺り棒７を使用した際、幼児用手摺り棒７に下向きの力が加わるなどして幼児用手摺り棒７を壁側に押す力がかかったときには、図１（ロ）に示すように、幼児用ブラケット８の両脚部９，９の先端側が背後の壁面３に当接して、その力を支えるので、幼児用手摺り棒７はびくともせず、それにしっかりと耐えることができ、それでいて、壁３に傷をつけることもない。
【００２４】
また、図２（イ）に示すように、幼児用手摺り棒７を階段１５の脇に壁面３に取り付けるような場合には特に、幼児用手摺り棒７が押し引きによる軸方向力を負担することになるが、幼児用手摺り棒７を取り付けている幼児用ブラケット８は、逆Ｖ字形の脚部９，９で構成されているので、その力を両脚部９，９の軸力でしっかりと支えることができ、幼児用手摺り棒７を握って頼る幼児１６をしっかりと守ることができる。
【００２５】
図３（イ）に示す第２実施形態は、幼児用ブラケット８の耐力を高めるため、脚部９，９の先端部同士を補強バー１８でジョイントしたものであり、その他は第１実施形態と同様である。
【００２６】
図３（ロ）に示す第３実施形態は、幼児用ブラケット８の両脚部９，９及び補強バー１８がそれぞれ伸縮可能に構成されることで、幼児用ブラケットが上下方向に伸縮可能となっていて、幼児用手摺り棒７の取付け高さ位置を高低調節できるようになされている。この場合は、幼児用手摺り棒７を、幼児１６の体格に合わせて最も使いやすい高さ位置に設定することができる。また、成長の速い幼児の体格の変化に伴って幼児用手摺り棒７の取付け高さ位置を高くすることもできるし、次に産まれるくる幼児のために低く設定し直すこともできる。
【００２７】
以上に、本発明の実施形態を示したが、本発明はこれに限られるものではなく、発明思想を逸脱しない範囲で各種の変更が可能である。例えば、上記の実施形態では、幼児用ブラケット８の取付け部１０が抱持型の取付け部からなっている場合を示しているが、幼児用手摺り棒の取付けを前提として大人用ブラケットの設計を行う場合には、幼児用ブラケットと大人用ブラケットとが組になって着脱可能な取付け関係を形成するような各種取付け部構造が採用されてよい。
【００２８】
また、幼児用ブラケットは逆Ｖ字形に限らず各種形態をしていてよいし、背面側の壁面３への当接構造についても、種々の構造が採用されてよい。
【図面の簡単な説明】
【００２９】
【図１】第１実施形態の取付け構造を示すもので、図（イ）は正面図、図（ロ）は断面側面図である。
【図２】図（イ）は階段への取付け状態を示す正面図、図（ロ）は廊下への取付け状態を示す正面図である。
【図３】図（イ）は第２実施形態で用いる幼児用ブラケットを示す正面図、図（ロ）は第２実施形態で用いる幼児用ブラケットを示す正面図である。
【図４】従来例を示すもので、図（イ）は手摺り棒付き階段の正面図、図（ロ）は手摺り棒付き廊下の正面図である。
【符号の説明】
【００３０】
１…大人用手摺り棒
２…大人用ブラケット
３…壁面
６…首部
７…幼児用手摺り棒
８…幼児用ブラケット
９…脚部
１０…抱持型取付け部
１１…棒付け部
１２…ボルト
１３…ナット
１６…幼児
【図１】
2005282318.tif 000003
【図２】
2005282318.tif 000004
【図３】
2005282318.tif 000005
【図４】
2005282318.tif 000006